(57)【要約】【課題】冷却能力を不必要に向上させることなく、蓄冷部に充分な冷熱を蓄えることのできるエジェクタ式冷凍サイクルを提供する。【解決手段】高温高圧冷媒の流れを分岐する分岐部１３からエジェクタ１５のノズル部１５ａへ流入する冷媒の流量をノズル側流量Ｇｎと定義し、分岐部１３から蓄冷部である蓄冷用熱交換器１７へ流入する冷媒の流量を蓄冷側流量Ｇｃと定義する。通常運転モードでは、流量比Ｇｃ／Ｇｎを充分に低下させることによって、エジェクタ１５のディフューザ部１５ｄから流出した冷媒を蒸発させて送風空気を冷却する流出側蒸発器１６における冷却能力の低下を抑制するとともに、エジェクタ１５の昇圧量を増加させて蓄冷用熱交換器１７に低温の冷熱を充分に蓄える。放冷運転モードでは、ノズル部１５ａへの冷媒の供給を停止して、蓄冷用熱交換器１７に蓄えられた冷熱でバッテリ４０を冷却する。【選択図】図１
2019184127.tif 000002
【特許請求の範囲】
【請求項１】
冷媒を圧縮して吐出する圧縮機（１１）と、
前記圧縮機から吐出された冷媒を放熱させる放熱器（１２）と、
前記放熱器から流出した冷媒の流れを分岐する分岐部（１３）と、
前記分岐部にて分岐された一方の冷媒を減圧させるノズル部（１５ａ）から噴射される噴射冷媒の吸引作用によって冷媒吸引口（１５ｃ）から冷媒を吸引し、前記噴射冷媒と前記冷媒吸引口から吸引された吸引冷媒とを混合させて昇圧させるエジェクタ（１５）と、
前記エジェクタから流出した冷媒を第１冷却対象物と熱交換させて蒸発させ、前記圧縮機の吸入口側へ流出させる流出側蒸発器（１６）と、
前記分岐部にて分岐された他方の冷媒の有する冷熱を蓄えて、前記冷媒吸引口側へ流出させる蓄冷部（１７）と、
前記蓄冷部へ流入する冷媒を減圧させるとともに、前記分岐部から前記ノズル部へ流入する冷媒の流量であるノズル側流量（Ｇｎ）に対する前記分岐部から前記蓄冷部へ流入する冷媒の流量である蓄冷側流量（Ｇｃ）の流量比（Ｇｃ／Ｇｎ）を調整する流量比調整部（１４ａ、１４ｂ）と、
前記蓄冷部に蓄えられた冷熱によって第２冷却対象物を冷却する冷却部（２０、４０ｂ、１７ｄ）と、を備え、
前記流出側蒸発器にて前記第１冷却対象物を冷却する通常運転モード時には、前記流量比調整部は、前記ノズル側流量（Ｇｎ）が前記蓄冷側流量（Ｇｃ）よりも多くなるように前記流量比（Ｇｃ／Ｇｎ）を調整し、
前記冷却部が前記第２冷却対象物を冷却する放冷運転モード時には、前記ノズル部への冷媒の供給が停止されるエジェクタ式冷凍サイクル。
【請求項２】
前記放冷運転モードとして、第１放冷運転モードと第２放冷運転モードが設けられており、
前記第１放冷運転モード時には、前記ノズル部への冷媒の供給が停止されるとともに、前記蓄冷部への冷媒の供給が停止され、
前記第２放冷運転モード時には、前記ノズル部への冷媒の供給が停止されるとともに、前記蓄冷部へ冷媒が供給される請求項１に記載のエジェクタ式冷凍サイクル。
【請求項３】
前記第２放冷運転モード時に、前記蓄冷部へ供給される冷媒の飽和温度が０℃以下となっている請求項２に記載のエジェクタ式冷凍サイクル。
【請求項４】
前記第２冷却対象物は、自己発熱するものである請求項１ないし３のいずれか１つに記載のエジェクタ式冷凍サイクル。
【請求項５】
前記冷却部は、前記圧縮機の停止時に、前記蓄冷部（１７）に蓄冷された冷熱によって前記第１冷却対象物を冷却する請求項１ないし４のいずれか１つに記載のエジェクタ式冷凍サイクル。
【請求項６】
前記第２冷却対象物は、充放電時に自己発熱する二次電池（４０）であり、
前記二次電池の蓄電残量（Ｂｒｐ）を検出する蓄電残量検出部（５１ｂ）を備え、
前記冷却部は、前記圧縮機の停止時であって、かつ、前記蓄電残量検出部によって検出された前記蓄電残量（Ｂｒｐ）が予め定めた基準蓄電残量（ＫＢｒｐ）以上となっている際に、前記蓄冷部（１７）に蓄冷された冷熱によって前記第１冷却対象物を冷却する請求項５に記載のエジェクタ式冷凍サイクル。
【発明の詳細な説明】
【技術分野】
【０００１】
本発明は、蓄冷部を備えるエジェクタ式冷凍サイクルに関する。
【背景技術】
【０００２】
従来、特許文献１に、冷熱を蓄える蓄冷部とエジェクタとを備える蒸気圧縮式の冷凍サイクル装置が開示されている。この特許文献１の冷凍サイクル装置は、エンジンおよび電動モータから走行用の駆動力を得るハイブリッド車両の空調装置に適用されており、車室内へ送風される送風空気を冷却する機能を果たしている。
【０００３】
さらに、特許文献１の冷凍サイクル装置は、エンジンから出力される駆動力によって作動する圧縮機を備えている。そして、エンジンの作動状態に応じて冷媒回路を切り替えて、車室内の冷房を行っている。
【０００４】
より具体的には、エンジンの作動時（すなわち、圧縮機の作動時）には、圧縮機から吐出された冷媒を、放熱器→膨張弁→蓄冷部→蒸発器→圧縮機の吸入口の順で循環させる冷媒回路に切り替える。そして、膨張弁にて減圧された低圧冷媒の冷熱を蓄冷部に蓄えるとともに、蒸発器にて低圧冷媒と送風空気とを熱交換させて送風空気を冷却している。
【０００５】
また、エンジンの停止時（すなわち、圧縮機の停止時）には、放熱器の出口側の高圧冷媒をエジェクタのノズル部へ流入させて、エジェクタから流出した冷媒を蒸発器へ流入させる冷媒回路に切り替える。そして、ノズル部から噴射された噴射冷媒の吸引作用によって蓄冷部にて冷却された低圧冷媒を吸引し、噴射冷媒と吸引冷媒との混合冷媒を蒸発器へ流入させて送風空気を冷却している。
【０００６】
これにより、特許文献１の冷凍サイクル装置では、車両走行中にエンジンが停止しても、１分〜２分程度であれば、蓄冷部に蓄えられた冷熱を利用して車室内の冷房を継続できるようにしている。
【先行技術文献】
【特許文献】
【０００７】
【特許文献１】特開２００５−２７１９０６号公報
【発明の概要】
【発明が解決しようとする課題】
【０００８】
ところで、ハイブリッド車両のように走行用の駆動力を電動モータから得る電気自動車には、電動モータ等に電力を供給する二次電池であるバッテリが搭載されている。この種のバッテリは、低温になると出力が低下しやすく、高温になると劣化が進行しやすい。このため、バッテリの温度は、バッテリの性能を充分に発揮することのできる適正な温度範囲内に維持されている必要がある。
【０００９】
従って、例えば、急速充電時のようにバッテリの自己発熱量が増大する際には、冷凍サイクル装置にて生成された冷熱を利用してバッテリを冷却することが考えられる。さらに、冷凍サイクル装置の圧縮機を作動させることができない場合には、特許文献１の冷凍サイクル装置のように、蓄冷部に蓄えられた冷熱を利用して、バッテリを冷却することができるようになっていることが望ましい。
【００１０】
ところが、急速充電中のバッテリの冷却に必要な冷熱量は、車室内の冷房を行うために必要な冷熱量と比較して極めて大きい。従って、蓄冷部に蓄えられた冷熱を利用して急速充電中のバッテリを冷却するためには、車室内の冷房を行う場合に対して、より低温、あるいは、より多量の冷熱を蓄冷部に蓄えておく必要がある。
【００１１】
このため、特許文献１の冷凍サイクル装置では、蓄冷部に蓄えられた冷熱を利用して、急速充電中のバッテリを充分に冷却することが難しい。
【００１２】
これに対して、冷凍サイクル装置が発揮可能な最大冷却能力を向上させるように仕様変更して、蓄冷部に蓄えることのできる冷熱量を増加させる手段が考えられる。しかしながら、このような仕様変更は、冷凍サイクル装置の大型化を招く原因となる。さらに、特許文献１の冷凍サイクル装置では、冷却能力を向上させて蓄冷部を流通する冷媒の温度を低下させると、送風空気の温度も不必要に低下してしまう。
【００１３】
本発明は、上記点に鑑み、冷却能力を不必要に向上させることなく、蓄冷部に充分な冷熱を蓄えることのできるエジェクタ式冷凍サイクルを提供することを目的とする。
【課題を解決するための手段】
【００１４】
上記目的を達成するため、請求項１に記載の発明は、冷媒を圧縮して吐出する圧縮機（１１）と、圧縮機から吐出された冷媒を放熱させる放熱器（１２）と、放熱器から流出した冷媒の流れを分岐する分岐部（１３）と、分岐部にて分岐された一方の冷媒を減圧させるノズル部（１５ａ）から噴射される噴射冷媒の吸引作用によって冷媒吸引口（１５ｃ）から冷媒を吸引し、噴射冷媒と冷媒吸引口から吸引された吸引冷媒とを混合させて昇圧させるエジェクタ（１５）と、エジェクタから流出した冷媒を第１冷却対象物と熱交換させて蒸発させ、圧縮機の吸入側へ流出させる流出側蒸発器（１６）と、分岐部にて分岐された他方の冷媒の有する冷熱を蓄えて、冷媒吸引口側へ流出させる蓄冷部（１７）と、蓄冷部へ流入する冷媒を減圧させるとともに、分岐部からノズル部へ流入する冷媒の流量であるノズル側流量（Ｇｎ）に対する分岐部から蓄冷部へ流入する冷媒の流量である蓄冷側流量（Ｇｃ）の流量比（Ｇｃ／Ｇｎ）を調整する流量比調整部（１４ａ、１４ｂ）と、蓄冷部に蓄えられた冷熱によって第２冷却対象物を冷却する冷却部（２０、４０ｂ、１７ｄ）と、を備え、
流出側蒸発器にて第１冷却対象物を冷却する通常運転モード時には、流量比調整部は、ノズル側流量（Ｇｎ）が蓄冷側流量（Ｇｃ）よりも多くなるように流量比（Ｇｃ／Ｇｎ）を調整し、
冷却部にて第２冷却対象物を冷却する放冷運転モード時には、ノズル部への冷媒の供給が停止されるエジェクタ式冷凍サイクルである。
【００１５】
これによれば、通常運転モード時には、エジェクタ（１５）から流出した冷媒を流出側蒸発器（１６）へ流入させて、流出側蒸発器（１６）にて第１冷却対象物を冷却することができる。さらに、流量比調整部（１４ａ、１４ｂ）にて減圧された冷媒を蓄冷部（１７）へ流入させて、冷媒の有する冷熱を蓄えることができる。
【００１６】
この際、流量比調整部（１４ａ、１４ｂ）が流量比（Ｇｃ／Ｇｎ）を減少させるに伴って、流出側蒸発器（１６）へ流入する冷媒の乾き度を低下させることができる。これにより、流出側蒸発器（１６）にて発揮される第１冷却対象物の冷却能力の低下を抑制することができる。
【００１７】
従って、通常運転モード時に、ノズル側流量（Ｇｎ）が蓄冷側流量（Ｇｃ）よりも充分に多くなるように、流量比調整部（１４ａ、１４ｂ）が流量比（Ｇｃ／Ｇｎ）を調整することで、エジェクタ式冷凍サイクル１０が発揮可能な最大冷却能力を向上させることなく、流出側蒸発器（１６）にて第１冷却対象物を充分に冷却することができる。
【００１８】
さらに、流量比調整部（１４ａ、１４ｂ）が流量比（Ｇｃ／Ｇｎ）を減少させるに伴って、エジェクタ（１５）の昇圧量を増加させることができる。これにより、蓄冷部（１７）へ流入する冷媒の蒸発圧力（すなわち、蒸発温度）を低下させることができるので、蓄冷部（１７）に低温の冷熱を蓄えることができる。
【００１９】
また、放冷運転モード時には、蓄冷部（１７）に蓄えられた冷熱を利用して、冷却部（２０、４０ｂ、１７ｄ）によって第２冷却対象物を充分に冷却することができる。さらに、放冷運転モード時には、ノズル部（１５ａ）への冷媒の供給が停止されるので、流出側蒸発器（１６）にて第１冷却対象物が不必要に冷却されてしまうことを抑制することができる。
【００２０】
すなわち、請求項１に記載の発明によれば、最大冷却能力や第１冷却対象物の冷却能力を不必要に向上させることなく、蓄冷部（１７）に充分な冷熱を蓄えることのできるエジェクタ式冷凍サイクルを提供することができる。
【００２１】
なお、この欄および特許請求の範囲で記載した各手段の括弧内の符号は、後述する実施形態に記載された具体的手段との対応関係を示す一例である。
【図面の簡単な説明】
【００２２】
【図１】第１実施形態のエジェクタ式冷凍サイクルの全体構成図である。
【図２】第１実施形態の切替制御を示すフローチャートである。
【図３】エジェクタの流量比と昇圧能力の関係を示すグラフである。
【図４】第２実施形態のエジェクタ式冷凍サイクルの全体構成図である。
【図５】第３実施形態のエジェクタ式冷凍サイクルの全体構成図である。
【図６】第４実施形態のエジェクタ式冷凍サイクルの全体構成図である。
【図７】第４実施形態の蓄冷空調制御を示すフローチャートである。
【発明を実施するための形態】
【００２３】
（第１実施形態）
図１〜図３を用いて、本発明の第１実施形態を説明する。本実施形態のエジェクタ式冷凍サイクル１０は、走行用の駆動力を電動モータから得る電気自動車に搭載された車両用熱管理システム１に適用されている。車両用熱管理システム１は、電気自動車において、空調対象空間である車室内の空調を行うとともに、電動モータ等に電力を供給するバッテリ４０の温度調整を行うものである。
【００２４】
エジェクタ式冷凍サイクル１０は、車両用熱管理システム１において、車室内へ送風される送風空気を冷却する機能を果たすとともに、蓄冷部である蓄冷用熱交換器１７に蓄えられる冷熱を生成する機能を果たす。蓄冷用熱交換器１７に蓄えられた冷熱は、バッテリ４０を冷却するために用いられる。従って、本実施形態の第１冷却対象物は、送風空気であり、第２冷却対象物は、バッテリ４０である。
【００２５】
エジェクタ式冷凍サイクル１０では、冷媒としてＨＦＣ系冷媒（具体的には、Ｒ１３４ａ）を採用しており、サイクルの高圧側冷媒圧力が冷媒の臨界圧力を超えない亜臨界冷凍サイクルを構成している。さらに、冷媒には圧縮機１１を潤滑するための冷凍機油が混入されている。また、冷凍機油の一部は、冷媒とともにサイクルを循環している。
【００２６】
図１の全体構成図に示すエジェクタ式冷凍サイクル１０において、圧縮機１１は、冷媒を吸入し、圧縮して吐出するものである。圧縮機１１は、ハウジングの内部に、固定容量型の圧縮機構および圧縮機構を回転駆動する電動モータを収容して構成された電動圧縮機である。圧縮機１１は、後述する制御装置５０から出力される制御信号によって、その作動が制御される。
【００２７】
圧縮機１１の吐出口には、放熱器１２の冷媒入口側が接続されている。放熱器１２は、圧縮機１１から吐出された高圧冷媒と冷却ファン１２ａにより送風される車室外空気（外気）を熱交換させて、高圧冷媒を放熱させて凝縮させる凝縮用熱交換器である。冷却ファン１２ａは、制御装置５０から出力される制御電圧によって回転数（送風空気量）が制御される電動送風機である。
【００２８】
放熱器１２の冷媒出口には、分岐部１３の冷媒流入口側が接続されている。分岐部１３は、放熱器１２から流出した冷媒の流れを分岐するものである。分岐部１３は、互いに連通する３つの冷媒流入出口を有する三方継手構造のもので、３つの冷媒流入出口のうち１つを冷媒流入口とし、残りの２つを冷媒流出口としたものである。
【００２９】
分岐部１３の一方の冷媒流出口には、ノズル側流量調整弁１４ａの入口側が接続されている。また、分岐部１３の他方の冷媒流出口には、蓄冷側流量調整弁１４ｂの入口側が接続されている。
【００３０】
ノズル側流量調整弁１４ａは、分岐部１３から流出した一方の冷媒を減圧させるノズル側減圧部である。さらに、ノズル側流量調整弁１４ａは、下流側に接続されるエジェクタ１５のノズル部１５ａへ流入する冷媒の流量（質量流量）を調整するノズル側流量調整部である。以下の説明では、ノズル部１５ａへ流入する冷媒の流量をノズル側流量Ｇｎと記載する。
【００３１】
ノズル側流量調整弁１４ａは、絞り開度を変更可能に構成された弁体と、この弁体の開度を変化させる電動アクチュエータ（具体的には、ステッピングモータ）とを有して構成される電気式の可変絞り機構である。ノズル側流量調整弁１４ａは、制御装置５０から出力される制御信号によって、その作動が制御される。さらに、ノズル側流量調整弁１４ａは、絞り通路を閉塞させる全閉機能を有している。
【００３２】
蓄冷側流量調整弁１４ｂは、分岐部１３から流出した他方の冷媒を減圧させる蓄冷側減圧部である。さらに、蓄冷側流量調整弁１４ｂは、下流側に接続される蓄冷用熱交換器１７へ流入する冷媒の流量（質量流量）を調整する蓄冷側流量調整部である。以下の説明では、蓄冷用熱交換器１７へ流入する冷媒の流量を蓄冷側流量Ｇｃと記載する。蓄冷側流量調整弁１４ｂの基本的構成は、ノズル側流量調整弁１４ａと同様である。
【００３３】
従って、ノズル側流量調整弁１４ａあるいは蓄冷側流量調整弁１４ｂが絞り開度を変化させと、ノズル側流量Ｇｎと蓄冷側流量Ｇｃとの流量比が変化する。つまり、本実施形態のノズル側流量調整弁１４ａおよび蓄冷側流量調整弁１４ｂは、ノズル側流量Ｇｎに対する蓄冷側流量Ｇｃの流量比（Ｇｃ／Ｇｎ）を調整する流量比調整部を構成している。
【００３４】
ここで、放熱器１２から分岐部１３の冷媒流入口へ流出した冷媒は、分岐部１３のいずれか一方の冷媒流出口から流出する。従って、ノズル側流量Ｇｎと蓄冷側流量Ｇｃとの合計値（Ｇｎ＋Ｇｃ）は、圧縮機１１から吐出された吐出流量Ｇ（質量流量）に等しい。
【００３５】
ノズル側流量調整弁１４ａの出口には、エジェクタ１５のノズル部１５ａの入口側が接続されている。エジェクタ１５は、ノズル側流量調整弁１４ａから流出した冷媒を、さらに減圧させて噴射するノズル部１５ａを有し、冷媒減圧部としての機能を果たす。さらに、エジェクタ１５は、ノズル部１５ａの冷媒噴射口から噴射された噴射冷媒の吸引作用によって、外部から冷媒を吸引して循環させる冷媒循環部としての機能を果たす。
【００３６】
これに加えて、エジェクタ１５は、ノズル部１５ａから噴射された噴射冷媒と冷媒吸引口１５ｃから吸引された吸引冷媒との混合冷媒の運動エネルギを圧力エネルギに変換し、混合冷媒を昇圧させるエネルギ変換部としての機能を果たす。
【００３７】
エジェクタ１５は、ノズル部１５ａおよびボデー部１５ｂを有している。ノズル部１５ａは、冷媒の流れ方向に向かって徐々に先細る略円筒状の金属（本実施形態では、ステンレス合金）で形成されている。ノズル部１５ａは、内部に形成された冷媒通路にて冷媒を等エントロピ的に減圧させるものである。
【００３８】
ノズル部１５ａの内部に形成された冷媒通路には、通路断面積を最も縮小させる喉部、および喉部から冷媒を噴射する冷媒噴射口へ向かうに伴って通路断面積が徐々に拡大する末広部が形成されている。つまり、本実施形態のノズル部１５ａは、ラバールノズルとして構成されている。
【００３９】
さらに、本実施形態では、ノズル部１５ａとして、通常運転モード時に、に冷媒噴射口から噴射される噴射冷媒の流速が音速以上となるように設定されたものが採用されている。もちろん、ノズル部１５ａを先細ノズルで構成してもよい。
【００４０】
ボデー部１５ｂは、略円筒状の金属（本実施形態では、アルミニウム）で形成されている。ボデー部１５ｂは、内部にノズル部１５ａを支持固定する固定部材として機能するとともに、内部に冷媒を流通させる冷媒通路を形成するものである。より具体的には、ノズル部１５ａは、ボデー部１５ｂの長手方向一端側の内部に収容されるように圧入にて固定されている。ボデー部１５ｂは、樹脂にて形成されていてもよい。
【００４１】
ボデー部１５ｂの外周面のうち、ノズル部１５ａの外周側に対応する部位には、その内外を貫通してノズル部１５ａの冷媒噴射口と連通するように設けられた冷媒吸引口１５ｃが形成されている。冷媒吸引口１５ｃは、ノズル部１５ａから噴射される噴射冷媒の吸引作用によって、蓄冷用熱交換器１７から流出した冷媒をエジェクタ１５の内部へ吸引する貫通穴である。
【００４２】
ボデー部１５ｂの内部には、吸引通路およびディフューザ部１５ｄが形成されている。吸引通路は、冷媒吸引口１５ｃから吸引された吸引冷媒をノズル部１５ａの冷媒噴射口側へ導く冷媒通路である。ディフューザ部１５ｄは、吸引冷媒と噴射冷媒とを混合させて昇圧させる昇圧部として機能する冷媒通路である。
【００４３】
より詳細には、吸引通路は、ノズル部１５ａの先細り形状の先端部周辺の外周側とボデー部１５ｂの内周側との間の空間に形成されており、吸引通路の冷媒通路面積は、冷媒流れ方向に向かうに伴って徐々に縮小している。これにより、吸引通路を流通する吸引冷媒の流速を徐々に増加させて、ディフューザ部１５ｄにて吸引冷媒と噴射冷媒が混合する際のエネルギ損失（いわゆる、混合損失）を減少させている。
【００４４】
ディフューザ部１５ｄは、吸引通路の出口に連続するように配置された円錐台状に広がる冷媒通路である。ディフューザ部１５ｄでは、通路断面積が冷媒流れ下流側に向かうに伴って徐々に拡大する。ディフューザ部１５ｄは、このような通路形状によって、混合冷媒の運動エネルギを圧力エネルギに変換する。
【００４５】
本実施形態のディフューザ部１５ｄを形成するボデー部１５ｂの内周壁面の断面形状は、複数の曲線を組み合わせて形成されている。そして、ディフューザ部１５ｄの冷媒通路断面積の広がり度合が冷媒流れ方向に向かうに伴って徐々に大きくなった後に再び小さくなっていることで、冷媒を等エントロピ的に昇圧させることができる。
【００４６】
ディフューザ部１５ｄの出口には、流出側蒸発器１６の冷媒入口側が接続されている。流出側蒸発器１６は、後述する室内空調ユニット３０のケーシング３１内に配置されている。流出側蒸発器１６は、ディフューザ部１５ｄから流出した冷媒を第１冷却対象物である送風空気と熱交換させて蒸発させ、冷媒に吸熱作用を発揮させることによって、送風空気を冷却する冷却用の熱交換器である。流出側蒸発器１６の冷媒出口には、圧縮機１１の吸入口側が接続されている。
【００４７】
一方、蓄冷側流量調整弁１４ｂの出口には、蓄冷用熱交換器１７の冷媒チューブ１７ａの入口側が接続されている。蓄冷用熱交換器１７は、蓄冷側流量調整弁１４ｂにて減圧された低圧冷媒の有する冷熱を蓄える蓄冷部としての機能を果たす。
【００４８】
より具体的には、蓄冷用熱交換器１７は、複数の冷媒チューブ１７ａ、複数の熱媒体チューブ１７ｂ、および複数の蓄冷材ケース１７ｃを有している。なお、図１では、図示の明確化のため、複数の冷媒チューブ１７ａ、複数の熱媒体チューブ１７ｂ、および複数の蓄冷材ケース１７ｃを、それぞれまとめて図示している。
【００４９】
冷媒チューブ１７ａは、蓄冷側流量調整弁１４ｂから流出した冷媒を流通させる冷媒流路を形成する断面扁平形状の扁平チューブである。熱媒体チューブ１７ｂは、熱媒体循環回路２０を循環する熱媒体を流通させる熱媒体流路を形成する断面扁平形状の扁平チューブである。
【００５０】
蓄冷材ケース１７ｃは、蓄冷側流量調整弁１４ｂにて減圧された低圧冷媒の有する冷熱を蓄える蓄冷材が封入された断面扁平形状のケースである。蓄冷材ケース１７ｃは、冷媒チューブ１７ａの長手方向および熱媒体チューブ１７ｂの長手方向と同じ方向に延びる形状に形成されている。
【００５１】
蓄冷用熱交換器１７は、少なくとも冷媒チューブ１７ａを流通する冷媒と蓄冷材ケース１７ｃ内の蓄冷材との間の熱移動、および熱媒体チューブ１７ｂを流通する熱媒体と蓄冷材ケース１７ｃ内の蓄冷材との間の熱移動が可能となるように、冷媒チューブ１７ａ、熱媒体チューブ１７ｂ、および蓄冷材ケース１７ｃを積層配置した積層型の熱交換器構造のものである。
【００５２】
具体的には、蓄冷用熱交換器１７では、冷媒チューブ１７ａ、熱媒体チューブ１７ｂ、および蓄冷材ケース１７ｃの長手方向が同一方向に向いており、それぞれの平坦面同士を接触させるように積層配置されている。
【００５３】
さらに、本実施形態では、蓄冷材ケース１７ｃに封入された蓄冷材として、相転移温度が０℃以下（具体的には、−１０℃程度）に調整されたＰＣＭ（相転移材料）を採用している。このような蓄冷材としては、水あるいはアルコールに不揮発性の添加剤を加えたもの等を採用することができる。蓄冷用熱交換器１７の冷媒チューブ１７ａの出口には、エジェクタ１５の冷媒吸引口１５ｃ側が接続されている。
【００５４】
次に、熱媒体循環回路２０について説明する。熱媒体循環回路２０は、蓄冷用熱交換器１７とバッテリ４０との間で熱媒体を循環させる熱媒体回路である。このような熱媒体としては、少なくともエチレングリコール、ジメチルポリシロキサン、もしくはナノ流体を含む液体、不凍液等を採用することができる。
【００５５】
バッテリ４０は、走行用の電動モータや車両に搭載された各種電気機器に電力を供給する二次電池（本実施形態では、リチウムイオン電池）である。バッテリ４０は、複数の電池セルを積層配置して、電気的に直列あるいは並列に接続することによって構成された組電池である。
【００５６】
この種のバッテリは、充放電時に自己発熱する。さらに、この種のバッテリは、低温になると出力が低下しやすく、高温になると劣化が進行しやすい。このため、バッテリの温度は、バッテリの性能を充分に発揮することのできる適正な温度範囲内（本実施形態では、１５℃以上、かつ、４５℃以下）に維持されている必要がある。
【００５７】
そこで、本実施形態のバッテリ４０には、各電池セル同士の間あるいは各電池セルの周囲に、熱媒体を流通させる冷却水通路４０ａが形成されている。なお、図１では、図示の明確化のために冷却水通路４０ａを簡素化して記載しているが、冷却水通路４０ａは、バッテリ４０の全域を均等に冷却できるように、複数本に分割されている。
【００５８】
さらに、熱媒体循環回路２０には、熱媒体ポンプ２１が配置されている。熱媒体ポンプ２１は、蓄冷用熱交換器１７の熱媒体通路から流出した熱媒体を、バッテリ４０の冷却水通路４０ａへ圧送するポンプである。熱媒体ポンプ２１は、制御装置５０から出力される制御電圧によって、回転数（すなわち、圧送能力）が制御される電動ポンプである。
【００５９】
従って、制御装置５０が、熱媒体ポンプ２１を作動させると、熱媒体循環回路２０では、熱媒体ポンプ２１から吐出された熱媒体が、バッテリ４０の冷却水通路４０ａ→蓄冷用熱交換器１７の熱媒体チューブ１７ｂ→熱媒体ポンプ２１の吸入口の順で循環する。
【００６０】
これにより、熱媒体循環回路２０では、蓄冷用熱交換器１７の熱媒体チューブ１７ｂを流通する際に冷却された熱媒体を、バッテリ４０の冷却水通路４０ａへ流入させて、バッテリ４０を冷却することができる。従って、本実施形態の熱媒体循環回路２０は、蓄冷部に蓄えられた冷熱によってバッテリ４０を冷却する冷却部を構成している。
【００６１】
次に、室内空調ユニット３０について説明する。室内空調ユニット３０は、車室内最前部の計器盤（すなわち、インストルメントパネル）の内側に配置されている。室内空調ユニット３０は、温度調整された送風空気を車室内の適切な箇所へ吹き出すための空気通路を形成するものである。
【００６２】
室内空調ユニット３０は、図１に示すように、その外殻を形成するケーシング３１の内部に形成される空気通路に、室内送風機３２、流出側蒸発器１６、電気ヒータ３６、エアミックスドア３４等を収容したものである。
【００６３】
ケーシング３１は、車室内に送風される送風空気の空気通路を形成するもので、ある程度の弾性を有し、強度的にも優れた樹脂（具体的には、ポリプロピレン）にて成形されている。ケーシング３１の送風空気流れ最上流側には、ケーシング３１内へ内気（車室内空気）と外気（車室外空気）とを切替導入する内外気切替装置３３が配置されている。
【００６４】
内外気切替装置３３は、ケーシング３１内へ内気を導入させる内気導入口および外気を導入させる外気導入口の開口面積を、内外気切替ドアによって連続的に調整して、内気の導入風量と外気の導入風量との導入割合を変化させることができる。内外気切替ドアは、内外気切替ドア用の電動アクチュエータによって駆動される。この電動アクチュエータは、制御装置５０から出力される制御信号によって、その作動が制御される。
【００６５】
内外気切替装置３３の送風空気流れ下流側には、内外気切替装置３３を介して吸い込まれた空気を車室内へ向けて送風する室内送風機３２が配置されている。室内送風機３２は、制御装置５０から出力される制御電圧によって回転数（送風空気量）が制御される電動送風機である。
【００６６】
室内送風機３２の送風空気流れ下流側には、流出側蒸発器１６および電気ヒータ３６が、送風空気の流れに対して、この順に配置されている。つまり、流出側蒸発器１６は、電気ヒータ３６に対して、送風空気流れ上流側に配置されている。電気ヒータ３６は、制御装置５０から電力を供給されることによって発熱して、流出側蒸発器１６を通過した送風空気を加熱する加熱部である。
【００６７】
また、ケーシング３１内には、流出側蒸発器１６を通過した送風空気を、電気ヒータ３６を迂回させて下流側へ流す冷風バイパス通路３５が形成されている。さらに、流出側蒸発器１６の送風空気流れ下流側であって、かつ、電気ヒータ３６の送風空気流れ上流側には、エアミックスドア３４が配置されている。
【００６８】
エアミックスドア３４は、流出側蒸発器１６を通過後の送風空気のうち、電気ヒータ３６を通過させる送風空気の風量と冷風バイパス通路３５を通過させる送風空気の風量との風量割合を調整する風量調整部である。エアミックスドア３４は、エアミックスドア駆動用の電動アクチュエータによって駆動される。この電動アクチュエータは、制御装置５０から出力される制御信号によって、その作動が制御される。
【００６９】
電気ヒータ３６の送風空気流れ下流側には、電気ヒータ３６にて加熱された送風空気と冷風バイパス通路３５を通過した送風空気（すなわち、電気ヒータ３６にて加熱されていない送風空気）とを混合させる混合空間が設けられている。さらに、ケーシング３１の送風空気流れ最下流部には、混合空間にて混合された送風空気（空調風）を、車室内へ吹き出す開口穴が配置されている。
【００７０】
この開口穴としては、フェイス開口穴、フット開口穴、およびデフロスタ開口穴（いずれも図示せず）が設けられている。フェイス開口穴は、車室内の乗員の上半身に向けて空調風を吹き出すための開口穴である。フット開口穴は、乗員の足元に向けて空調風を吹き出すための開口穴である。デフロスタ開口穴は、車両前面窓ガラス内側面に向けて空調風を吹き出すための開口穴である。
【００７１】
これらのフェイス開口穴、フット開口穴、およびデフロスタ開口穴は、それぞれ空気通路を形成するダクトを介して、車室内に設けられたフェイス吹出口、フット吹出口およびデフロスタ吹出口（いずれも図示せず）に接続されている。
【００７２】
従って、エアミックスドア３４が、電気ヒータ３６を通過させる風量と冷風バイパス通路３５を通過させる風量との風量割合を調整することによって、混合空間にて混合される空調風の温度が調整されて、各吹出口から車室内へ吹き出される送風空気の温度も調整される。
【００７３】
また、フェイス開口穴、フット開口穴、およびデフロスタ開口穴の送風空気流れ上流側には、それぞれ、フェイス開口穴の開口面積を調整するフェイスドア、フット開口穴の開口面積を調整するフットドア、デフロスタ開口穴の開口面積を調整するデフロスタドア（いずれも図示せず）が配置されている。
【００７４】
これらのフェイスドア、フットドア、デフロスタドアは、空調風が吹き出される吹出口を切り替える吹出モード切替装置を構成するものである。フェイスドア、フットドア、デフロスタドアは、リンク機構等を介して、吹出口モードドア駆動用の電動アクチュエータに連結されて連動して回転操作される。この電動アクチュエータは、制御装置５０から出力される制御信号によって、その作動が制御される。
【００７５】
次に、本実施形態の電気制御部の概要について説明する。制御装置５０は、ＣＰＵ、ＲＯＭおよびＲＡＭ等を含む周知のマイクロコンピュータとその周辺回路から構成されている。そして、そのＲＯＭ内に記憶されたプログラムに基づいて各種演算、処理を行い、その出力側に接続された各種制御対象機器１１、１２ａ、１４ａ、１４ｂ、２１、３２、３６、その他の各種電動アクチュエータの作動を制御する。
【００７６】
制御装置の入力側には、内気温センサ、外気温センサ、日射センサ、蒸発器温度センサ、空調風温度センサ、熱媒体温度センサ５１ａ、蓄電残量センサ５１ｂ、バッテリ温度センサ５１ｃといった制御用のセンサ群が接続されている。そして、制御装置には、制御用のセンサ群の検出信号が入力される。
【００７７】
内気温センサは、車室内温度（内気温）Ｔｒを検出する内気温検出部である。外気温センサは、車室外温度（外気温）Ｔａｍを検出する外気温検出部である。日射センサは、車室内へ照射される日射量Ａｓを検出する日射量検出部である。蒸発器温度センサは、流出側蒸発器１６における冷媒蒸発温度（蒸発器温度）Ｔｅｆｉｎを検出する蒸発器温度検出部である。
【００７８】
空調風温度センサは、混合空間から車室内へ送風される送風空気の温度である送風空気温度ＴＡＶを検出する空調風温度検出部である。熱媒体温度センサ５１ａは、バッテリ４０の冷却水通路４０ａから流出した熱媒体の温度である熱媒体温度Ｔｗｂを検出する熱媒体温度検出部である。蓄電残量センサ５１ｂは、バッテリ４０の蓄電残量Ｂｒｐを検出する蓄電残量検出部である。
【００７９】
バッテリ温度センサ５１ｃは、バッテリ４０の温度であるバッテリ温度Ｔｂａｔを検出するバッテリ温度検出部である。バッテリ温度センサ５１ｃは、バッテリ４０の複数の箇所の温度を検出する複数の温度センサで検出されており、これらの複数の温度センサの検出値の平均値をバッテリ温度Ｔｂａｔとしている。または、これらの複数の温度センサの検出値の最大値をバッテリ温度Ｔｂａｔとしてもよい。
【００８０】
なお、図１では、図示の明確化のため、熱媒体温度センサ５１ａ、蓄電残量センサ５１ｂ、およびバッテリ温度センサ５１ｃ以外の検出部を制御用のセンサ群５１として、まとめて図示している。このことは、後述する実施形態においても同様である。
【００８１】
さらに、制御装置５０の入力側には、車室内前部の計器盤付近に配置された図示しない操作パネルが接続されており、この操作パネルに設けられた各種操作スイッチからの操作信号が入力される。操作パネルに設けられた各種操作スイッチとしては、具体的に、車両用空調装置の自動制御運転を設定あるいは解除するオートスイッチ、車室内の目標温度を設定する温度設定スイッチ等が設けられている。
【００８２】
ここで、本実施形態の制御装置５０は、その出力側に接続された各種の制御対象機器の作動を制御する制御部が一体に構成されたものであるが、制御装置５０のうち、各制御対象機器の作動を制御する構成（ハードウェアおよびソフトウェア）が各制御対象機器の制御部を構成している。
【００８３】
例えば、圧縮機１１の作動を制御する構成が、圧縮機制御部５０ａを構成している。また、流量比調整部であるノズル側流量調整弁１４ａおよび蓄冷側流量調整弁１４ｂの作動を制御する構成が、流量比制御部５０ｂを構成している。
【００８４】
次に、上記構成における本実施形態の作動について説明する。本実施形態のエジェクタ式冷凍サイクル１０では、通常運転モードおよび放冷運転モードを切り替えることができる。通常運転モードは、送風空気を冷却するとともに、蓄冷用熱交換器１７に蓄えられる冷熱を生成する運転モードである。放冷運転モードは、蓄冷用熱交換器１７に蓄えられた冷熱によってバッテリ４０を冷却する運転モードである。
【００８５】
まず、通常運転モードについて説明する。通常運転モードは、操作パネルのオートスイッチが投入（ＯＮ）されると実行される。通常運転モードでは、制御用のセンサ群の検出信号および操作パネルからの操作信号に基づいて、車室内へ送風される送風空気の目標吹出温度ＴＡＯを算定する。そして、目標吹出温度ＴＡＯ等に基づいて、制御装置５０が各制御対象機器へ出力される制御信号を決定する。
【００８６】
例えば、制御装置５０は、蒸発器温度センサによって検出された冷媒蒸発温度Ｔｅｆｉｎが目標蒸発温度ＴＥＯに近づくように、圧縮機１１へ出力される制御信号を決定する。目標蒸発温度ＴＥＯは、目標吹出温度ＴＡＯに基づいて、予め制御装置５０に記憶された通常運転モード用の制御マップを参照して決定される。この制御マップでは、目標吹出温度ＴＡＯの上昇に伴って目標蒸発温度ＴＥＯを上昇させる。
【００８７】
また、制御装置５０は、流出側蒸発器１６の出口側の冷媒の過熱度が予め定めた基準過熱度に近づくように、ノズル側流量調整弁１４ａへ出力される制御信号を決定する。さらに、制御装置５０は、ノズル側流量調整弁１４ａへ出力される制御信号に基づいて、ノズル側流量Ｇｎが蓄冷側流量Ｇｃよりも多くなるように蓄冷側流量調整弁１４ｂへ出力される制御信号を決定する。
【００８８】
この際、ノズル側流量調整弁１４ａおよび蓄冷側流量調整弁１４ｂによって構成される流量比調整部は、ノズル側流量Ｇｎが蓄冷側流量Ｇｃよりも多くなるように流量比Ｇｃ／Ｇｎを調整する。
【００８９】
より具体的には、本実施形態の流量比調整部は、蓄冷側流量調整弁１４ｂにて減圧された低圧冷媒の飽和温度が蓄冷材ケース１７ｃに封入された蓄冷材の相転移温度（本実施形態では、０℃以下）よりも低くなるように流量比Ｇｃ／Ｇｎを調整している。
【００９０】
このために、本実施形態の流量比調整部では、流量比Ｇｃ／Ｇｎが、１０／９０以下（すなわち、１１.１％以下）となるように調整している。換言すると、蓄冷側流量Ｇｃが、圧縮機１１から吐出された吐出流量Ｇの１０％以下となるように調整している。
【００９１】
さらに、蓄冷側流量調整弁１４ｂにて減圧された低圧冷媒の飽和温度を低下させるために、流量比Ｇｃ／Ｇｎが、５／９５以下（すなわち、５．３％以下）となるように調整してもよい。換言すると、蓄冷側流量Ｇｃが、吐出流量Ｇの５％以下となるように調整してもよい。
【００９２】
より好ましくは、流量比Ｇｃ／Ｇｎが、３／９７以下（すなわち、３．１％以下）となるように調整してもよい。換言すると、蓄冷側流量Ｇｃが、吐出流量Ｇの３％以下となるように調整してもよい。
【００９３】
また、制御装置５０は、目標吹出温度ＴＡＯに基づいて、予め制御装置５０に記憶された制御マップを参照して室内送風機３２へ出力される制御電圧を決定する。この制御マップでは、目標吹出温度ＴＡＯの極低温域（最大冷房域）および極高温域（最大暖房域）で室内送風機３２の送風量を最大とし、中間温度域に近づくに伴って送風量を減少させる。
【００９４】
また、制御装置５０は、空調風温度センサによって検出された送風空気温度ＴＡＶが目標吹出温度ＴＡＯに近づくように、電気ヒータ３６およびエアミックスドア駆動用の電動アクチュエータへ出力される制御信号を決定する。
【００９５】
また、制御装置５０は、予め定めた通常運転モード用の送風能力が発揮されるように、冷却ファン１２ａへ出力される制御電圧を決定する。また、制御装置５０は、熱媒体ポンプ２１を停止させるように制御電圧を決定する。また、制御装置５０は、その他の各種制御対象機器へ出力される制御信号等を適宜決定する。
【００９６】
そして、制御装置５０は、上記の如く決定された制御信号等を各種制御対象機器へ出力する。その後、通常運転モードの停止が要求されるまで、所定の制御周期毎に、上述したように、検出信号および操作信号の読み込み→各種制御対象機器へ出力される制御信号等の決定→制御信号等の出力といった制御ルーチンが繰り返される。なお、このような制御ルーチンの繰り返しは、他の運転モード時にも同様に行われる。
【００９７】
従って、通常運転モード時のエジェクタ式冷凍サイクル１０では、圧縮機１１から吐出された高温高圧冷媒が、放熱器１２へ流入する。放熱器１２へ流入した冷媒は、冷却ファン１２ａから送風された外気と熱交換して、冷却されて凝縮する。放熱器１２から流出した冷媒の流れは、分岐部１３にて分岐される。分岐部１３にて分岐された一方の冷媒は、ノズル側流量調整弁１４ａを介して、エジェクタ１５のノズル部１５ａへ流入する。
【００９８】
エジェクタ１５のノズル部１５ａへ流入した冷媒は、ノズル部１５ａにて等エントロピ的に減圧されてノズル部１５ａの冷媒噴射口から噴射される。そして、噴射冷媒の吸引作用によって、蓄冷用熱交換器１７の冷媒チューブ１７ａから流出した冷媒が、冷媒吸引口１５ｃから吸引される。
【００９９】
ノズル部１５ａの冷媒噴射口から噴射された噴射冷媒、および冷媒吸引口１５ｃから吸引された吸引冷媒は、ディフューザ部１５ｄへ流入する。ディフューザ部１５ｄでは、冷媒通路面積の拡大により、冷媒の速度エネルギが圧力エネルギに変換される。これにより、噴射冷媒と吸引冷媒との混合冷媒の圧力が上昇する。ディフューザ部１５ｄにて昇圧された低圧冷媒は、流出側蒸発器１６へ流入する。
【０１００】
流出側蒸発器１６へ流入した低圧冷媒は、室内送風機３２によって送風された送風空気から吸熱して蒸発する。これにより、送風空気が冷却される。流出側蒸発器１６から流出した冷媒は、圧縮機１１へ吸入されて再び圧縮される。
【０１０１】
この際、室内空調ユニット３０では、流出側蒸発器１６にて冷却された一部の送風空気が、エアミックスドア３４の開度に応じて電気ヒータ３６側へ流入して加熱される。電気ヒータ３６にて加熱された温風と冷風バイパス通路３５を通過した冷風は混合空間にて混合されて、目標吹出温度ＴＡＯに近づく。混合空間にて混合された送風空気（空調風）は、各吹出口を介して、車室内へ吹き出される。これにより。車室内の空調が実現される。
【０１０２】
一方、分岐部１３にて分岐された他方の冷媒は、蓄冷側流量調整弁１４ｂへ流入して減圧される。この際、蓄冷側流量調整弁１４ｂでは、冷媒の飽和温度が蓄冷材ケース１７ｃに封入された蓄冷材の相転移温度よりも低くなるように、分岐部１３にて分岐された他方の冷媒を減圧させる。蓄冷側流量調整弁１４ｂにて減圧された低圧冷媒は、蓄冷用熱交換器１７の冷媒チューブ１７ａへ流入する。
【０１０３】
冷媒チューブ１７ａへ流入した冷媒は、蓄冷材ケース１７ｃに封入された蓄冷材から吸熱して蒸発する。これにより、蓄冷材が相変化して、冷媒チューブ１７ａへ流入した冷媒の有する冷熱が蓄冷材に蓄えられる。この際、通常運転モードでは、熱媒体ポンプ２１が停止しているので、蓄冷材に蓄えられた冷熱が熱媒体チューブ１７ｂを流通する熱媒体に放冷されてしまうことはない。
【０１０４】
従って、通常運転モードのエジェクタ式冷凍サイクル１０では、流出側蒸発器１６にて送風空気を冷却するとともに、蓄冷用熱交換器１７に蓄えられる冷熱を生成することができる。
【０１０５】
続いて、放冷運転モードについて説明する。放冷運転モードは、車両停止時のバッテリ４０の充電中に実行される。
【０１０６】
ここで、バッテリ４０の充電中は、バッテリ４０内を流れる電流が増加するので、バッテリ４０の自己発熱量が増加する。特に、短時間で充電を完了させる急速充電時には、バッテリ４０の自己発熱量が増大して、バッテリ４０の温度が適正な温度範囲を超えて上昇してしまいやすい。そこで、エジェクタ式冷凍サイクル１０では、車両停止時のバッテリ４０の充電中に放冷運転モードでの運転を実行する。
【０１０７】
さらに、本実施形態のエジェクタ式冷凍サイクル１０では、放冷運転モードとして、第１放冷運転モードおよび第２放冷運転モードの２つの放冷運転モードを切り替えることができる。第１放冷運転モードおよび第２放冷運転モードの切り替えは、図２のフローチャートに示す切替制御が実行されることによって行われる。この切替制御は、バッテリ４０の充電開始時にスタートする。
【０１０８】
まず、図２に示す切替制御のステップ１では、バッテリ４０の充電中であるか否かを判定する。このような判定は、充電器からバッテリ４０へ流れる電流値等に基づいて行うことができる。ステップＳ１には、バッテリ４０の充電中であると判定された場合は、ステップＳ２へ進む。一方、ステップＳ１にて、バッテリ４０の充電中であると判定されなかった場合（すなわち、充電が終了している場合）は、切替制御を終了させる。
【０１０９】
ステップＳ２では、バッテリ温度センサ５１ｃによって検出されたバッテリ温度Ｔｂａｔが予め定めた基準バッテリ温度ＫＴｂａｔ以下になっているか否かを判定する。ステップＳ２にて、バッテリ温度Ｔｂａｔが基準バッテリ温度ＫＴｂａｔ以下になっていると判定された場合は、ステップＳ３へ進む。ステップＳ３では、第１放冷運転モードが実行されて、ステップＳ１へ戻る。
【０１１０】
ステップＳ２にて、バッテリ温度Ｔｂａｔが基準バッテリ温度ＫＴｂａｔ以下になっていないと判定された場合は、ステップＳ４へ進む。ステップＳ４では、第２放冷運転モードが実行されて、ステップＳ１へ戻る。
【０１１１】
ここで、基準バッテリ温度ＫＴｂａｔは、バッテリ４０の適正な温度範囲の上限値よりも僅かに低い値に設定されている。従って、バッテリ温度Ｔｂａｔが基準バッテリ温度ＫＴｂａｔ以下になっていない場合は、バッテリ温度Ｔｂａｔが適正な温度範囲の上限値を超えて上昇してしまう可能性が高い運転条件となっていることを意味している。
【０１１２】
第１放冷運転モードは、バッテリ温度Ｔｂａｔが基準バッテリ温度ＫＴｂａｔ以下になっている際に実行される。つまり、第１放冷運転モードは、バッテリ温度Ｔｂａｔが適正な温度範囲を超えて上昇してしまう可能性が低い場合に実行される。
【０１１３】
そこで、第１放冷運転モードでは、制御装置５０が、圧縮機１１を停止させるように制御信号を決定する。また、制御装置５０は、絞り通路が全閉となるようにノズル側流量調整弁１４ａへ出力される制御信号を決定する。つまり、第１放冷運転モードでは、エジェクタ１５のノズル部１５ａへの冷媒の供給が停止される。
【０１１４】
また、制御装置５０は、予め定めた放冷運転モード用の基準圧送能力を発揮するように、熱媒体ポンプ２１へ出力される制御電圧を決定する。また、制御装置５０は、冷却ファン１２ａおよび室内送風機３２を停止させるように制御電圧を決定する。また、制御装置５０は、その他の各種制御対象機器へ出力される制御信号等を適宜決定する。
【０１１５】
従って、第１放冷運転モードのエジェクタ式冷凍サイクル１０では、冷媒は循環せず、冷熱も生成されない。熱媒体循環回路２０では、熱媒体ポンプ２１が作動しているので、熱媒体が蓄冷用熱交換器１７の熱媒体チューブ１７ｂを流通する際に、蓄冷材ケース１７ｃの蓄冷材に蓄えられた冷熱によって冷却される。蓄冷用熱交換器１７にて冷却された熱媒体は、熱媒体ポンプ２１によってバッテリ４０の冷却水通路４０ａへ圧送される。
【０１１６】
冷却水通路４０ａへ流入した熱媒体はバッテリ４０から吸熱して温度上昇する。これにより、バッテリ４０が冷却される。冷却水通路４０ａから流出した熱媒体は、蓄冷用熱交換器１７の熱媒体チューブ１７ｂへ流入して再び冷却される。
【０１１７】
従って、第１放冷運転モードでは、蓄冷用熱交換器１７に蓄えられた冷熱を利用してバッテリ４０を冷却することができる。
【０１１８】
第２放冷運転モードは、バッテリ温度Ｔｂａｔが基準バッテリ温度ＫＴｂａｔよりも高くなっている際に実行される。つまり、第２放冷運転モードは、バッテリ温度Ｔｂａｔが適正な温度範囲を超えて上昇してしまう可能性が高い運転条件時に実行される。
【０１１９】
そこで、第２放冷運転モードでは、制御装置５０が、予め定めた放冷運転モード用の基準冷媒吐出能力を発揮するように、圧縮機１１へ出力する制御信号を決定する。また、制御装置５０は、第１放冷運転モードと同様に、絞り通路が全閉となるようにノズル側流量調整弁１４ａへ出力される制御信号を決定する。つまり、第２放冷運転モードでは、エジェクタ１５のノズル部１５ａへの冷媒の供給が停止される。
【０１２０】
また、制御装置５０は、予め定めた放冷運転モード用の基準絞り開度となるように、蓄冷側流量調整弁１４ｂへ出力される制御信号を決定する。基準絞り開度は、蓄冷側流量調整弁１４ｂにて減圧された低圧冷媒の飽和温度が、蓄冷材ケース１７ｃに封入された蓄冷材の相転移温度よりも低くなるように（本実施形態では、０℃以下となるように）調整される。
【０１２１】
また、制御装置５０は、第１放冷運転モードと同様に、熱媒体ポンプ２１へ出力される制御電圧を決定する。また、制御装置５０は、予め定めた放冷運転モード用の基準送風能力を発揮するように、冷却ファン１２ａへ出力される制御電圧を決定する。また、制御装置５０は、室内送風機３２を停止させるように制御電圧を決定する。また、制御装置５０は、その他の各種制御対象機器へ出力される制御信号等を適宜決定する。
【０１２２】
従って、第２放冷運転モードのエジェクタ式冷凍サイクル１０では、圧縮機１１から吐出された高温高圧冷媒が、放熱器１２→蓄冷側流量調整弁１４ｂ→蓄冷用熱交換器１７の冷媒チューブ１７ａ（→エジェクタ１５→流出側蒸発器１６）→圧縮機１１の吸入口の順で循環する蒸気圧縮式の冷凍サイクルが構成される。
【０１２３】
ここで、第２放冷運転モードでは、ノズル側流量調整弁１４ａが全閉となっているので、エジェクタ１５は、蓄冷用熱交換器１７の冷媒チューブ１７ａから流出した冷媒を流出側蒸発器１６の冷媒入口側へ導く単なる冷媒通路として機能する。また、第２放冷運転モードでは、室内送風機３２が停止しているので、流出側蒸発器１６は、エジェクタ１５から流出した冷媒を圧縮機１１の吸入口側へ導く単なる冷媒通路として機能する。
【０１２４】
従って、第２放冷運転モードでは、蓄冷側流量調整弁１４ｂにて減圧された低圧冷媒が、蓄冷用熱交換器１７の冷媒チューブ１７ａへ流入する。これにより、通常運転モードと同様に、冷媒チューブ１７ａへ流入した冷媒の有する冷熱が、蓄冷材ケース１７ｃの蓄冷材に蓄えられる。冷媒チューブ１７ａから流出した冷媒は、エジェクタ１５および流出側蒸発器１６を介して、圧縮機１１へ吸入される。
【０１２５】
一方、熱媒体循環回路２０では、熱媒体ポンプ２１が作動しているので、第１放冷運転モードと同様に、蓄冷用熱交換器１７に蓄えられた冷熱でバッテリ４０を冷却することができる。
【０１２６】
従って、第２放冷運転モードでは、第１放冷運転モードと同様に、蓄冷用熱交換器１７に蓄えられた冷熱を利用してバッテリ４０を冷却することができる。さらに、第２放冷運転モードでは、エジェクタ式冷凍サイクル１０が、蓄冷用熱交換器１７に蓄えられる冷熱を生成することができる。
【０１２７】
本実施形態のエジェクタ式冷凍サイクル１０は、上記の如く作動するので、以下に記載するような優れた効果を得ることができる。
【０１２８】
すなわち、エジェクタ式冷凍サイクル１０によれば、通常運転モード時には、エジェクタ１５から流出した冷媒を流出側蒸発器１６へ流入させて、流出側蒸発器１６にて送風空気を冷却することができる。さらに、蓄冷側流量調整弁１４ｂにて減圧された低圧冷媒を蓄冷用熱交換器１７へ流入させて、この低圧冷媒の有する冷熱を蓄えることができる。
【０１２９】
この際、ノズル側流量調整弁１４ａおよび蓄冷側流量調整弁１４ｂが流量比（Ｇｃ／Ｇｎ）を減少させるに伴って、流出側蒸発器１６へ乾き度の低い冷媒を流入させることができる。これにより、流出側蒸発器１６にて発揮される送風空気の冷却能力の低下を抑制することができる。
【０１３０】
換言すると、流出側蒸発器１６にて発揮される送風空気の冷却能力を、放熱器１２から流出した冷媒の全流量をノズル部１５ａへ流入させた際に発揮される冷却能力に近づけることができる。
【０１３１】
従って、通常運転モード時に、ノズル側流量Ｇｎが蓄冷側流量Ｇｃよりも充分に多くなるように流量比Ｇｃ／Ｇｎを調整することで、エジェクタ式冷凍サイクル１０が発揮可能な最大冷却能力を向上させるような仕様変更を行うことなく、流出側蒸発器１６にて送風空気を充分に冷却することができる。
【０１３２】
さらに、ノズル側流量調整弁１４ａおよび蓄冷側流量調整弁１４ｂが流量比（Ｇｃ／Ｇｎ）を減少させるに伴って、図３に示すように、エジェクタ１５のディフューザ部１５ｄにおける昇圧量を増加させることができる。これにより、蓄冷用熱交換器１７へ流入する低圧冷媒の蒸発圧力（すなわち、蒸発温度）を低下させることができるので、蓄冷用熱交換器１７に、低温（本実施形態では、０℃以下）の冷熱を蓄えることができる。
【０１３３】
これに加えて、車室内の空調が継続される時間は、バッテリ４０の充電時間に対して充分に長い。このため、流量比（Ｇｃ／Ｇｎ）を減少させることによって、蓄冷側流量Ｇｃが減少してしまっても、蓄冷用熱交換器１７の蓄冷材ケース１７ｃに充分な量の蓄冷材を収容して、通常運転モードでの運転を充分に長時間実行することによって、蓄冷用熱交換器１７に低温の冷熱を多量に蓄えることができる。
【０１３４】
また、放冷運転モード時には、熱媒体循環回路２０にて熱媒体を循環させることで、蓄冷用熱交換器１７に蓄えられた低温かつ多量の冷熱を利用することができる。従って、急速充電中のバッテリ４０であっても充分に冷却することができる。さらに、放冷運転モード時には、ノズル部１５ａへの冷媒の供給が停止され、室内送風機３２が停止しているので、流出側蒸発器１６にて送風空気が不必要に冷却されてしまうこともない。
【０１３５】
すなわち、本実施形態のエジェクタ式冷凍サイクル１０によれば、エジェクタ式冷凍サイクル１０が発揮可能な最大冷却能力や送風空気の冷却能力を不必要に向上させてしまうことなく、蓄冷部である蓄冷用熱交換器１７にバッテリ４０を冷却するために必要な冷熱を充分に蓄えておくことができる。
【０１３６】
また、本実施形態のエジェクタ式冷凍サイクル１０では、放冷運転モードとして、第１放冷運転モードおよび第２放冷運転モードが設けられている。そして、第１放冷運転モードでは、圧縮機１１を停止させて蓄冷用熱交換器１７への冷媒の供給を停止している。これによれば、エジェクタ式冷凍サイクル１０が不必要な冷却能力を発揮してしまうことを抑制することができる。
【０１３７】
さらに、第２放冷運転モードでは、圧縮機１１を作動させて、蓄冷側流量調整弁１４ｂにて減圧された低圧冷媒を蓄冷用熱交換器１７へ供給している。これによれば、蓄冷側流量調整弁１４ｂにて減圧された低圧冷媒の有する冷熱を、バッテリ４０を冷却するために利用することができる。従って、バッテリ４０の冷却が不充分となってしまうことを抑制することができる。
【０１３８】
つまり、第２放冷運転モードでは、バッテリ４０を確実かつ充分に冷却することができ、バッテリ４０の温度をより一層確実に適正な温度範囲内に維持することができる。このように、冷却対象物を確実かつ充分に冷却することができることは、作動時に自己発熱する冷却対象物（本実施形態では、充放電時に自己発熱するバッテリ４０）を冷却する際に極めて有効である。
【０１３９】
（第２実施形態）
本実施形態では、図４の全体構成図に示すように、第１実施形態に対して、冷却部の構成を変更した例を説明する。具体的には、本実施形態では、蓄冷用熱交換器１７とバッテリ４０とを一体化させて、熱媒体循環回路２０を廃止している。なお、図４では、第１実施形態と同一もしくは均等部分には同一の符号を付している。このことは、以下の図面でも同様である。
【０１４０】
本実施形態の蓄冷用熱交換器１７は、冷媒チューブ１７ａおよび蓄冷材ケース１７ｃの平坦面同士を接触させるように積層配置した積層型の熱交換器構造のものである。本実施形態の蓄冷用熱交換器１７では、熱媒体チューブ１７ｂが廃止されている。また、本実施形態のバッテリ４０では、冷却水通路４０ａが廃止されている。
【０１４１】
バッテリ４０は、内部に電池セル等を収容するバッテリケース４０ｂを有している。バッテリケース４０ｂは、伝熱性に優れる金属（本実施形態では、アルミニウム）で形成されている。バッテリケース４０ｂには、絶縁処理が施されている。このような絶縁処理としては、バッテリケース４０ｂの表面に絶縁性を有する塗料を塗布する手段や、絶縁性を有する樹脂フィルムを貼り付ける手段を採用することができる。
【０１４２】
蓄冷用熱交換器１７およびバッテリ４０は、少なくとも冷媒チューブ１７ａを流通する冷媒と蓄冷材ケース１７ｃ内の蓄冷材との間の熱移動、およびバッテリケース４０ｂ内の電池セルと蓄冷材ケース１７ｃ内の蓄冷材との間の熱移動との間の熱移動が可能に、一体化されている。
【０１４３】
具体的には、蓄冷材ケース１７ｃの少なくとも一部の外表面とバッテリケース４０ｂが直接接触するように一体化されている。つまり、本実施形態では、蓄冷材ケース１７ｃに蓄えられた冷熱を、バッテリケース４０ｂを介して、バッテリ４０内に伝達することによって、バッテリ４０を冷却している。従って、本実施形態のバッテリケース４０ｂは、蓄冷部に蓄えられた冷熱を伝達してバッテリ４０を冷却する冷却部を構成している。
【０１４４】
また、本実施形態では、蓄冷材ケース１７ｃに封入された蓄冷材として、相転移温度がバッテリ４０の適正な温度範囲の下限値よりも僅かに高い値に調整されたＰＣＭ（相転移材料）を採用している。このような蓄冷材としては、パラフィンワックス系の蓄冷材等を採用することができる。その他のエジェクタ式冷凍サイクル１０の構成は、第１実施形態と同様である。
【０１４５】
また、本実施形態のエジェクタ式冷凍サイクル１０では、通常運転モード時に、蓄冷側流量調整弁１４ｂにて減圧された低圧冷媒の飽和温度が、バッテリ４０の適正な温度範囲の下限値近傍となるように蓄冷側流量調整弁１４ｂの減圧量を調整している。これにより、通常運転モード時に、バッテリ４０の温度が適正な温度範囲を超えて過度に低下しないようにしている。
【０１４６】
さらに、第１、第２放冷運転モード時には、第１実施形態と同様に、エジェクタ１５のノズル部１５ａへの冷媒の供給を停止する。その他のエジェクタ式冷凍サイクル１０の作動は、第１実施形態と同様である。
【０１４７】
従って、本実施形態のエジェクタ式冷凍サイクル１０によれば、通常運転モード時に、流出側蒸発器１６にて、送風空気を冷却することができる。さらに、蓄冷用熱交換器１７に蓄えられる冷熱を生成することができるとともに、蓄冷用熱交換器１７にてバッテリ４０を冷却することができる。
【０１４８】
この際、蓄冷用熱交換器１７へ流入する冷媒の飽和温度が、バッテリ４０の適正な温度範囲の下限値近傍となるので、通常運転モード時にバッテリ４０が過度に冷却されてしまうことがない。
【０１４９】
また、第１、第２放冷運転モード時には、第１実施形態と同様に、蓄冷用熱交換器１７に蓄えられた多量の冷熱を利用して、バッテリ４０を充分に冷却することができる。
【０１５０】
（第３実施形態）
本実施形態では、図５の全体構成図に示すように、第１実施形態に対して、冷却部の構成を変更した例を説明する。具体的には、本実施形態では、冷却部として、冷却用送風機１７ｄを追加して、熱媒体循環回路２０を廃止している。
【０１５１】
本実施形態では、蓄冷用熱交換器１７として、冷媒チューブおよび蓄冷材ケースの平坦面同士を接触させるように積層配置した積層型の熱交換器構造のものを採用している。さらに、一部の冷媒チューブと蓄冷材ケースは間隔を開けて配置されており、一部の冷媒チューブと蓄冷材ケースとの間には、冷却用送風機１７ｄから送風された冷却用送風空気を流通させる空気通路が形成されている。
【０１５２】
冷却用送風機１７ｄは、冷却用の空気をバッテリ４０に向けて送風する電動送風機である。冷却用送風機１７ｄは、蓄冷用熱交換器１７の冷却用の送風空気流れ上流側に配置されている。冷却用送風機１７ｄの基本的構成は、冷却ファン１２ａと同様である。また、本実施形態のバッテリ４０では、冷却水通路４０ａが廃止されている。その他のエジェクタ式冷凍サイクル１０の構成は、第１実施形態と同様である。
【０１５３】
また、本実施形態のエジェクタ式冷凍サイクル１０では、通常運転モード時に、制御装置５０が、冷却用送風機１７ｄを停止させるように制御電圧を出力する。また、第１、第２放冷運転モード時には、制御装置５０が、予め定めた放冷運転モード用の送風能力が発揮されるように、冷却用送風機１７ｄに出力される制御電圧を決定する。その他のエジェクタ式冷凍サイクル１０の作動は、第１実施形態と同様である。
【０１５４】
従って、本実施形態のエジェクタ式冷凍サイクル１０によれば、第１実施形態と同様の効果を得ることができる。すなわち、通常運転モード時には、送風空気を冷却することができるとともに、バッテリ４０を冷却するために蓄冷用熱交換器１７に蓄えられる冷熱を生成することができる。
【０１５５】
また、第１、第２放冷運転モード時には、冷却用送風機１７ｄが作動しているので、冷却用送風機１７ｄから送風された冷却用の送風空気が蓄冷用熱交換器１７の空気通路を通過する際に冷却される。そして、蓄冷用熱交換器１７の空気通路を通過する際に冷却された送風空気がバッテリ４０に吹き付けられる。これにより、バッテリ４０を充分に冷却することができる。
【０１５６】
（第４実施形態）
本実施形態では、図６の全体構成図に示すように、第１実施形態のエジェクタ式冷凍サイクル１０に対して、熱媒体循環回路２０の構成等を変更したエジェクタ式冷凍サイクル１０ａについて説明する。このエジェクタ式冷凍サイクル１０ａは、走行用の駆動力をエンジンおよび電動モータから得る、いわゆるプラグインハイブリッド車両に搭載された車両用熱管理システム１ａに適用されている。
【０１５７】
プラグインハイブリッド車両では、車両停車時に充電器から供給される電力をバッテリ４０に充電することができる。そして、走行開始時のようにバッテリ４０の蓄電残量Ｂｒｐが予め定めた基準蓄電残量ＫＢｒｐ以上になっているときには、ＥＶ走行モードで走行する。ＥＶ走行モードは、電動モータのみから駆動力を得て走行する走行モードである。
【０１５８】
一方、車両走行中にバッテリ４０の蓄電残量Ｂｒｐが基準蓄電残量ＫＢｒｐよりも低くなっているときには、ＨＶ走行モードで走行する。ＨＶ走行モードは、主にエンジンＥＧが出力する駆動力によって車両を走行させる走行モードであるが、車両走行負荷が高負荷となった際には、電動モータを作動させてエンジンＥＧを補助する。
【０１５９】
そして、プラグインハイブリッド車両では、ＥＶ走行モードとＨＶ走行モードとを切り替えることで、走行用の駆動力をエンジンＥＧだけから得る通常の車両に対してエンジンＥＧの燃料消費量を抑制して、車両燃費を向上させている。
【０１６０】
本実施形態のエジェクタ式冷凍サイクル１０ａでは、プーリ、ベルト等を介してエンジンから伝達される回転駆動力によって駆動されるエンジン駆動式の圧縮機１１ａを採用している。圧縮機１１ａとしては、吐出容量を変化させることによって冷媒吐出能力を調整可能な可変容量型圧縮機、あるいは電磁クラッチの断続により圧縮機の稼働率を変化させて冷媒吐出能力を調整可能な固定容量型圧縮機を採用することができる。
【０１６１】
また、本実施形態の熱媒体循環回路２０には、クーラコア２２および三方弁２３が配置されている。クーラコア２２は、熱媒体循環回路２０を循環する熱媒体と車室内へ送風される送風空気とを熱交換させて、送風空気を冷却する冷却用の熱交換器である。クーラコア２２は、室内空調ユニット３０のケーシング３１内の室内送風機３２の送風空気流れ下流側であって、流出側蒸発器１６の送風空気流れ上流側に配置されている。
【０１６２】
三方弁２３は、熱媒体ポンプ２１から圧送された熱媒体をバッテリ４０の冷却水通路４０ａ側へ圧送する熱媒体回路と、熱媒体ポンプ２１から圧送された熱媒体をクーラコア２２の入口側へ圧送する熱媒体回路とを切り替える熱媒体回路切替部である。三方弁２３は、制御装置５０から出力される制御電圧によって、その作動が制御される。
【０１６３】
その他のエジェクタ式冷凍サイクル１０ａの構成は、第１実施形態で説明したエジェクタ式冷凍サイクル１０と同様である。
【０１６４】
ここで、本実施形態のエジェクタ式冷凍サイクル１０ａでは、エンジン駆動式の圧縮機１１ａを採用している。このため、ハイブリッド車両の走行モードがＥＶ走行モードになっていると圧縮機１１ａが停止して、流出側蒸発器１６にて送風空気を冷却することができなくなってしまう。すなわち、車室内の空調を行うことができなくなってしまう。
【０１６５】
そこで、本実施形態では、図７のフローチャートに示す蓄冷空調制御を実行する。蓄冷空調制御は、蓄冷用熱交換器１７に蓄えられた冷熱を利用して車室内の空調を行うための制御である。蓄冷空調制御の制御フローは、通常運転モード時に実行される制御プログラムのメインルーチンのサブルーチンとして、所定の周期毎に実行される。
【０１６６】
まず、図７に示す蓄冷空調制御のステップＳ１１では、蓄電残量センサ５１ｂによって検出されたバッテリ４０の蓄電残量Ｂｒｐが基準蓄電残量ＫＢｒｐ以上になっているか否かを判定する。ステップＳ１１にて、蓄電残量Ｂｒｐが基準蓄電残量ＫＢｒｐ以上になっていると判定された場合は、ステップＳ１２へ進む。ステップＳ１２では、蓄冷空調モードが実行されて、ステップＳ１１へ戻る。
【０１６７】
ステップＳ１１にて、蓄電残量Ｂｒｐが基準蓄電残量ＫＢｒｐ以上になっていないと判定された場合は、ステップＳ１３へ進み、蓄冷空調モードの終了処理が実行されて、メインルーチンへ戻る。
【０１６８】
ここで、ステップＳ１１にて、蓄電残量Ｂｒｐが基準蓄電残量ＫＢｒｐ以上になっていると判定された場合は、走行モードがＥＶ走行モードに切り替えられている。ＥＶ走行モードに切り替えられている際には、バッテリ４０の蓄電残量Ｂｐｒも比較的多く、直ちにバッテリ４０に充電する必要性が低い。さらに、ＥＶ走行モードでは、エンジンが作動していないので、圧縮機１１ａも停止している。
【０１６９】
そこで、蓄冷空調モードでは、制御装置５０が、予め定めた蓄冷空調モード用の基準圧送能力を発揮するように、熱媒体ポンプ２１へ出力される制御電圧を決定する。また、制御装置５０は、熱媒体ポンプ２１から圧送された熱媒体がクーラコア２２の入口側へ圧送される冷媒回路に切り替えられるように三方弁２３へ出力される制御電圧を決定する。
【０１７０】
蓄冷空調モードの熱媒体循環回路２０では、熱媒体ポンプ２１が作動しているので、熱媒体が蓄冷用熱交換器１７の熱媒体チューブ１７ｂを流通する際に、蓄冷材ケース１７ｃの蓄冷材に蓄えられた冷熱によって冷却される。蓄冷用熱交換器１７にて冷却された熱媒体は、三方弁２３が切り替えられているので、熱媒体ポンプ２１によってクーラコア２２側へ圧送される。
【０１７１】
クーラコア２２へ流入した熱媒体は、室内送風機３２から送風された送風空気から吸熱して温度上昇する。これにより、送風空気が冷却される。クーラコア２２から流出した熱媒体は、蓄冷用熱交換器１７の熱媒体チューブ１７ｂへ流入して再び冷却される。従って、蓄冷空調モードでは、蓄冷用熱交換器１７に蓄えられた冷熱を利用して送風空気を冷却することができる。
【０１７２】
また、ステップＳ１１にて、蓄電残量Ｂｒｐが基準蓄電残量ＫＢｒｐ以上になっていないと判定された場合は、走行モードがＨＶ走行モードに切り替えられている。ＨＶ走行モードに切り替えられている際には、バッテリ４０の蓄電残量Ｂｐｒが減少しており、バッテリ４０に充電する必要性が高くなっている。さらに、ＨＶ走行モードでは、エンジンが作動しているので、圧縮機１１ａを駆動することができる。
【０１７３】
そこで、蓄冷空調モードの終了処理では、制御装置５０が、熱媒体ポンプ２１を停止させるように制御電圧を決定する。また、制御装置５０は、熱媒体ポンプ２１から圧送された熱媒体がバッテリ４０の冷却水通路４０ａ側へ圧送される冷媒回路に切り替えられるように三方弁２３へ出力される制御電圧を決定する。
【０１７４】
従って、蓄冷空調モードの終了処理が実行されると、エジェクタ式冷凍サイクル１０ａでは、実質的に、第１実施形態で説明したエジェクタ式冷凍サイクル１０の通常運転モードと同様に作動させることができる。従って、エジェクタ式冷凍サイクル１０ａでは、流出側蒸発器１６にて送風空気を冷却することができるとともに、バッテリ４０を冷却するために蓄冷用熱交換器１７に蓄えられる冷熱を生成することができる。
【０１７５】
また、本実施形態のプラグインハイブリッド車両では、車両停止時のバッテリ４０の充電中にエンジンを停止させるので、圧縮機１１ａを駆動させることができない。従って、エジェクタ式冷凍サイクル１０ａでは、バッテリ４０の充電中に実行される放冷運転モードとして、第１実施形態で説明した第１放冷運転モードを実行する。その他のエジェクタ式冷凍サイクル１０ａの作動は、第１実施形態と同様である。
【０１７６】
本実施形態のエジェクタ式冷凍サイクル１０ａは、上記の如く作動するので、通常運転モード時に、走行モードがＥＶ走行モードになっている際には、すなわち、圧縮機１１ａの停止時には、蓄冷運転モードを実行することができる。これにより、蓄冷用熱交換器１７に蓄えられた冷熱によって送風空気を冷却することができる。つまり、エンジンが停止している際にも、車室内の空調を実現することができる。
【０１７７】
また、通常運転モード時に、走行モードがＨＶ走行モードになっている際には、第１実施形態と同様に、送風空気を冷却することができるとともに、バッテリ４０を冷却するために蓄冷用熱交換器１７に蓄えられる冷熱を生成することができる。また、放冷運転モードでは、蓄冷用熱交換器１７に蓄えられた冷熱を利用して、バッテリ４０を充分に冷却することができる。
【０１７８】
さらに、ステップＳ１１にて説明したように、蓄冷運転モードは、直ちにバッテリ４０に充電する必要性が低くなっている際に実行される。従って、走行モードがＨＶ走行モードに切り替えられた後に、通常運転モードを実行することで、次にバッテリ４０を充電する迄に、充電中のバッテリを冷却するために必要な冷熱を蓄冷用熱交換器１７に充分に蓄えておくことができる。
【０１７９】
（他の実施形態）
本発明は上述の実施形態に限定されることなく、本発明の趣旨を逸脱しない範囲内で、以下のように種々変形可能である。
【０１８０】
（１）上述の実施形態では、本発明に係るエジェクタ式冷凍サイクル１０、１０ａを車両用熱管理システム１、１ａに適用した例を説明したが、エジェクタ式冷凍サイクル１０、１０ａの適用はこれに限定されない。
【０１８１】
また、上述の実施形態では、第１冷却対象物が冷却対象空間へ送風される送風空気である例を説明したが、第１冷却対象物はこれに限定されない。例えば、飲料水であってもよい。また、第２冷却対象物がバッテリ４０である例を説明したが、第２冷却対象物はこれに限定されない。例えば、その他の電気機器であってもよい。
【０１８２】
本発明に係るエジェクタ式冷凍サイクル１０、１０ａの優れた効果を得るためには、第２冷却対象物は、作動時に自己発熱するものであることが望ましい。さらに、自己発熱中の第２冷却対象物を冷却するために必要な冷熱の温度が、第１冷却対象物の冷却温度よりも低くなることが望ましい。
【０１８３】
（２）エジェクタ式冷凍サイクル１０、１０ａを構成する各構成機器は、上述の実施形態に開示されたものに限定されない。
【０１８４】
例えば、上述の実施形態では、ノズル側流量調整弁１４ａおよび蓄冷側流量調整弁１４ｂによって流量比調整部を構成した例を説明したが、流量比調整部はこれに限定されない。例えば、ノズル側流量調整弁１４ａを廃止して、蓄冷側流量調整弁１４ｂによって流量比調整部を構成してもよい。
【０１８５】
また、ノズル側流量調整弁１４ａとエジェクタ１５とを一体的に構成してもよい。この場合は、エジェクタ１５のノズル部１５ａの冷媒通路内にニードル状の弁体を配置し、この弁体を電動アクチュエータで変位させることで、ノズル部１５ａの最小通路断面積を変化させる可変ノズルを構成して、ノズル側流量調整弁１４ａと同様の機能を発揮させるようにしてもよい。
【０１８６】
また、ノズル側流量調整弁１４ａと蓄冷側流量調整弁１４ｂとを一体的に構成してもよい。この場合は、ノズル側流量Ｇｎを減少させるに伴って蓄冷側流量Ｇｃを増加させ、ノズル側流量Ｇｎを増加させるに伴って蓄冷側流量Ｇｃを減少させる三方式の流量調整弁を採用してもよい。
【０１８７】
また、上述の実施形態では、冷媒としてＲ１３４ａを採用した例を説明したが、冷媒はこれに限定されない。例えば、Ｒ１２３４ｙｆ、Ｒ６００ａ、Ｒ４１０Ａ、Ｒ４０４Ａ、Ｒ３２、Ｒ４０７Ｃ、等を採用してもよい。または、これらの冷媒のうち複数種を混合させた混合冷媒等を採用してもよい。さらに、冷媒として二酸化炭素を採用して、高圧側冷媒圧力が冷媒の臨界圧力以上となる超臨界冷凍サイクルを構成してもよい。
【０１８８】
また、車両用熱管理システム１、１ａを構成する各構成機器は、上述の実施形態に開示されたものに限定されない。
【０１８９】
例えば、加熱部として、放熱器１２を採用して高温高圧冷媒と送風空気とを熱交換させるようにしてもよい。また、放熱器１２として高温高圧冷媒と高温側熱媒体とを熱交換させる水−冷媒熱交換器を採用し、水−冷媒熱交換器にて加熱された熱媒体を熱源として送風空気を加熱するヒータコアを採用してもよい。また、バッテリ４０以外の電気機器の冷却水を熱源として送風空気を加熱するヒータコアを採用してもよい。
【０１９０】
また、加熱部として、第４実施形態で説明した車両用熱管理システム１ａにおいて、エンジンの冷却水を熱源として送風空気を加熱するヒータコアを採用してもよい。
【０１９１】
（３）上述の実施形態では、蓄冷用熱交換器１７の蓄冷材ケース１７ｃ内に封入される蓄冷材として、水あるいはアルコールに不揮発性の添加剤を加えた蓄冷材や、パラフィンワックス系の蓄冷材を採用した例を説明したが、蓄冷材はこれに限定されない。つまり、エジェクタ式冷凍サイクル１０、１０ａが冷熱を生成できない際に、必要とされる温度および量の冷熱を蓄えることができれば、各種蓄冷材を採用することができる。
【０１９２】
例えば、高級アルコール系の蓄冷材や、無機塩系の蓄熱材を採用してもよい。また、ＰＣＭ（相転移材料）は、液相と固相との間で相転移するものに限定されず、絶縁相と金属相と間で相転移するもの（例えば、酸化バナジウムに添加剤を加えた遷移金属酸化物）を採用してもよい。
【０１９３】
（４）上述の第１実施形態では、図２の切替制御のステップＳ２にて説明したように、バッテリ温度Ｔｂａｔを用いて、第１放冷運転モードと第２放冷運転モードとを切り替えた例を説明したが、第１放冷運転モードと第２放冷運転モードとの切替は、これに限定されない。例えば、ステップＳ２にて、熱媒体温度センサ５１ａによって検出された熱媒体温度Ｔｗｂを用いてもよい。
【０１９４】
より具体的には、ステップＳ２にて、熱媒体温度Ｔｗｂが予め定めた基準熱媒体温度ＫＴｗｂ以下になっているか否かを判定し、熱媒体温度Ｔｗｂが基準熱媒体温度ＫＴｗｂ以下になっていると判定された場合に第１放冷運転モードを実行し、熱媒体温度Ｔｗｂが基準熱媒体温度ＫＴｗｂ以下になっていないと判定された場合に第２放冷運転モードを実行するようにしてもよい。
【０１９５】
また、第１実施形態で説明した第２放冷運転モードでは、蓄冷側流量調整弁１４ｂにて減圧された低圧冷媒の飽和温度が、０℃以下となるように、蓄冷側流量調整弁１４ｂの絞り開度を制御した例を説明したが、第２放冷運転モードにおける蓄冷側流量調整弁１４ｂの絞り開度はこれに限定されない。
【０１９６】
バッテリ４０の温度を適切な温度範囲内に維持することができれば、蓄冷側流量調整弁１４ｂにて減圧された低圧冷媒の飽和温度を変更してもよい。例えば、低圧冷媒の飽和温度が、バッテリ４０の適正な温度範囲の下限値近傍（第１実施形態では、１５℃程度）となるように、蓄冷側流量調整弁１４ｂの絞り開度を調整してもよい。
【０１９７】
また、上述の第４実施形態では、図７に示す蓄冷空調制御のステップＳ１１にて説明したように、車両の走行モードを用いて、蓄冷空調モードを実行するか否かを判定した例を説明したが、蓄冷空調モードを実行するか否かの判定は、これに限定されない。
【０１９８】
例えば、ステップＳ１１にて、圧縮機１１ａが作動しているか否かを判定し、圧縮機１１ａが作動していないと判定された際に、蓄冷空調モードを実行するようにしてもよい。これにより、車両燃費向上のために車両の停車時にエンジンを停止させる、いわゆるアイドルストップ時に蓄冷空調モードを実行するようにしてもよい。
【０１９９】
また、上述の第４実施形態では、図７に示す蓄冷空調制御のステップＳ１２にて説明したように、電残量Ｂｒｐを用いて、蓄冷空調モードを実行するか否かを判定した例を説明したが、蓄冷空調モードを実行するか否かの判定は、これに限定されない。
【０２００】
例えば、ステップＳ１２の判定に加えて、ＧＰＳ位置情報を用いて、現在の車両の位置と充電器との距離、あるいは、現在の車両の位置と自宅との距離が予め定めた基準距離以上となっている際に、蓄冷空調モードを実行するようにしてもよい。これにより、直ちにバッテリ４０に充電をする必要性が低く、かつ、直ちにバッテリ４０に充電をする可能性の低い場合に蓄冷空調モードを実行するようにしてもよい。
【０２０１】
（５）また、上記各実施形態に開示された手段は、実施可能な範囲で適宜組み合わせてもよい。
【０２０２】
例えば、第５実施形態で説明したエジェクタ式冷凍サイクル１０ａにおいて、第４実施形態で説明したように冷却部を変更し、冷却用送風機１７ｄから送風された冷却用の送風空気の通風路を切り替える通風路切替装置を設けてもよい。そして、蓄冷空調モード時に、冷却用の送風空気を内外気切替装置３３の入口側へ導く通風路に切り替えるようになっていてもよい。
【符号の説明】
【０２０３】
１０、１０ａ    エジェクタ式冷凍サイクル
１１、１１ａ    圧縮機
１４ａ、１４ｂ  ノズル側流量調整弁、蓄冷側流量調整弁（流量比調整部）
１５            エジェクタ
１６            流出側蒸発器
１７            蓄冷用熱交換器（蓄冷部）
２０            熱媒体循環回路（冷却部）
４０            バッテリ
４０ｂ          バッテリケース（冷却部）
１７ｄ          冷却用送風機１７ｄ（冷却部）
【図１】
2019184127.tif 000003
【図２】
2019184127.tif 000004
【図３】
2019184127.tif 000005
【図４】
2019184127.tif 000006
【図５】
2019184127.tif 000007
【図６】
2019184127.tif 000008
【図７】
2019184127.tif 000009